【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  コンテンツ通信サーバから、地理的位置情報と関連付けられたコンテンツである位置依存コンテンツと、前記位置依存コンテンツの参照先を地理的エリア毎に分類した位置条件別リストに前記地理的エリアの位置条件を付与した構造を持つ位置適応コンテンツと、一般コンテンツとを受信し、受信したコンテンツ、もしくは、受信したコンテンツから生成したコンテンツを中継配信する通信処理部と、データ放送を行うコンテンツ放送サーバから、前記位置依存コンテンツのカテゴリと前記カテゴリに対応する前記位置適応コンテンツの参照先との組で構成されるコンテンツであるメニューコンテンツを受信し、前記メニューコンテンツを中継配信する放送処理部と、位置情報を含む位置情報通知メッセージ、および、コンテンツの中継配信の指示を含むコンテンツ配信要求メッセージを受信し、メッセージの内容に従って前記通信処理部および前記放送処理部を制御し、メッセージ送信元へのコンテンツ配信処理を行なう中継制御部とを具備し、前記通信処理部は、前記位置適応コンテンツから最新の前記位置情報と合致する前記位置条件が付与されている前記位置条件別リストを抽出し、抽出した前記位置条件別リストから構成されるコンテンツを生成する位置適応処理を行なうことを特徴とするコンテンツ処理装置。
【請求項２】  前記通信コンテンツ前記コンテンツ配信要求メッセージは、前記メニューコンテンツの中継配信を要求する放送受信要求メッセージと、前記一般コンテンツの中継配信を要求する一般コンテンツ配信要求メッセージと、前記位置適応コンテンツの中継配信を要求する位置適応コンテンツ配信要求メッセージがあり、前記放送処理部および前記通信処理部が受信したコンテンツを蓄積する中間キャッシュ部をさらに有し、前記中継制御部は、前記位置適応コンテンツ配信要求メッセージを受信した後に、前記位置情報通知メッセージを受信した場合には、前記通信処理部に対して、前記中間キャッシュ部に蓄積済みの前記位置適応コンテンツに前記位置適応処理の実行と、その処理によって生成されたコンテンツの中継配信とを命令することを特徴とする請求項１記載のコンテンツ処理装置。
【請求項３】  前記通信処理部は、中継配信対象のコンテンツが前記中間キャッシュ部に蓄積済みの場合は、前記コンテンツ配信要求メッセージの送信元へ蓄積済みのコンテンツを中継配信し、中継配信対象のコンテンツが前記中間キャッシュ部に蓄積されていない場合は、前記コンテンツ通信サーバから中継配信対象のコンテンツを受信し、前記配信要求メッセージの送信元へ中継配信することを特徴とする請求項２記載のコンテンツ処理装置。
【請求項４】  前記通信処理部は、複数の前記一般コンテンツ配信要求メッセージは並列処理し、前記位置適応コンテンツ配信要求メッセージは、受信順序に従って直列処理することを特徴とする請求項３記載のコンテンツ処理装置。
【請求項５】  前記放送処理部は、受信した前記放送コンテンツを前記中間キャッシュ部に蓄積し、蓄積が完了したら、データ放送の受信を停止し、通信を利用したＰＵＳＨ型ストリーム配信によって、蓄積した前記放送コンテンツを前記放送受信要求メッセージの送信元へ中継配信することを特徴とする請求項１から請求項４のいずれかに記載のコンテンツ処理装置。
【請求項６】  前記放送処理部は、通信を利用したＰＵＳＨ型ストリーム配信により前記放送コンテンツの配信を所定回数だけ繰り返した後、配信を停止することを特徴とする請求項５記載のコンテンツ処理装置。
【請求項７】  前記放送処理部は、受信した前記放送コンテンツを前記中間キャッシュ部に蓄積し、蓄積が完了したら、データ放送の受信を停止し、前記放送受信要求メッセージの送信元へ、蓄積した前記放送コンテンツの所在を示すコンテンツ識別子を含むリソース通知メッセージを送信することを特徴とする請求項１から請求項４のいずれかに記載のコンテンツ処理装置。
【請求項８】  前記コンテンツ識別子とは、蓄積した前記放送コンテンツを示すＵＲＬであることを特徴とする請求項７記載のコンテンツ処理装置。
【請求項９】  前記一般コンテンツ配信要求メッセージと前記位置適応コンテンツ配信要求メッセージは、ファイル名の拡張子が異なるＨＴＴＰのＧＥＴメッセージであり、前記中継制御部は、前記ファイル名の拡張子によって、前記一般コンテンツ配信要求メッセージと前記位置適応コンテンツ配信要求メッセージとを区別することを特徴とする請求項８記載のコンテンツ処理装置。
【請求項１０】  請求項６記載のコンテンツ処理装置を介して、前記コンテンツ放送サーバ、および、前記コンテンツ通信サーバから受信したコンテンツを表示するコンテンツ表示装置において、前記コンテンツ処理装置から中継配信された前記放送コンテンツを受信する放送受信部と、前記放送受信部が受信した前記放送コンテンツを蓄積する終端キャッシュ部と、前記コンテンツ配信要求メッセージを前記コンテンツ処理装置へ送信する機能と、前記コンテンツ処理装置から中継配信されたコンテンツ、および、前記終端キャッシュ部に蓄積済みのコンテンツを表示する機能とを有するブラウザ部と、前記コンテンツ処理装置へ前記コンテンツ配信要求メッセージを通知し、前記放送受信部および前記ブラウザ部を制御する制御部とを具備したことを特徴とするコンテンツ表示装置。
【請求項１１】  定期的に位置情報を取得する位置情報取得部を有し、前記制御部は、定期的に前記位置情報を含む前記位置情報通知メッセージを前記コンテンツ処理装置へ送信し、前記ブラウザ部は、前記位置適応コンテンツ配信要求メッセージを前記コンテンツ処理装置へ送信した場合に、その応答として、前記位置適応処理によって生成されたコンテンツを前記コンテンツ処理装置から受信し、そのコンテンツを表示することを特徴とする請求項１０記載のコンテンツ表示装置。
【請求項１２】  前記放送受信部は、データ放送受信機能に加えて、通信を利用したＰＵＳＨ型のストリーム配信によって送信されてくるコンテンツを受信する機能を有し、前記制御部は、前記コンテンツ処理装置へ前記放送コンテンツ配信要求メッセージを送信した場合に、前記放送受信部に対して、通信による放送コンテンツの受信を指示することを特徴とする請求項１１記載のコンテンツ表示装置。
【請求項１３】  前記放送受信部は、通信を利用したＰＵＳＨ型のストリーム配信によって、同一コンテンツが繰り返し送信されてくる場合、一度だけコンテンツを受信することを特徴とする請求項１２記載のコンテンツ表示装置。
【請求項１４】請求項９記載のコンテンツ処理装置を介して、前記コンテンツ放送サーバ、および、前記コンテンツ通信サーバから受信したコンテンツを表示するコンテンツ表示装置において、前記コンテンツ処理装置から中継配信された前記放送コンテンツを受信する放送受信部と、前記放送受信部が受信した前記放送コンテンツを蓄積する終端キャッシュ部と、前記コンテンツ配信要求メッセージを前記コンテンツ処理装置へ送信する機能と、前記コンテンツ処理装置から中継配信されたコンテンツおよび前記終端キャッシュ部に蓄積済みのコンテンツを表示する機能とを有するブラウザ部と、前記コンテンツ処理装置へ前記コンテンツ配信要求メッセージを通知し、前記放送受信部および前記ブラウザ部を制御する制御部とを具備し、前記制御部は、前記コンテンツ処理装置に送信した前記放送コンテンツ配信要求メッセージに対する応答として、前記リソース通知メッセージを受信した場合、前記ブラウザ部に対して、前記コンテンツ識別子が示す前記放送コンテンツの取得を指示することを特徴とするコンテンツ表示装置。
【請求項１５】  前記リソース通知メッセージには、前記コンテンツ処理装置に蓄積された前記放送コンテンツのＵＲＬが記されており、前記制御部は、前記リソース通知メッセージを受信した場合に、前記ブラウザ部に対して、前記ＵＲＬが示す前記放送コンテンツの取得を指示し、前記ブラウザ部は、ＨＴＴＰのＧＥＴメッセージによって前記ＵＲＬが示す前記放送コンテンツを取得することを特徴とする請求項１４記載のコンテンツ表示装置。
【請求項１６】  請求項９記載のコンテンツ処理装置と、請求項１５記載のコンテンツ表示装置と、を具備したことを特徴とするコンテンツ受信端末。
【請求項１７】  カルーセル方式のデータ放送によって放送コンテンツを配信するコンテンツ放送サーバと、通信によって一般コンテンツを配信するコンテンツ通信サーバと、請求項９記載のコンテンツ処理装置と、請求項１５記載のコンテンツ表示装置と、を具備することを特徴とするコンテンツ適応配信システム。
【請求項１８】  コンテンツ通信サーバから、地理的位置情報と関連付けられたコンテンツである位置依存コンテンツと、前記位置依存コンテンツの参照先を地理的エリア毎に分類した位置条件別リストに前記地理的エリアの位置条件を付与した構造を持つ位置適応コンテンツと、一般コンテンツとを受信し、受信したコンテンツ、もしくは、受信したコンテンツから生成したコンテンツを中継配信する通信処理ステップと、データ放送を行うコンテンツ放送サーバから、前記位置依存コンテンツのカテゴリと前記カテゴリに対応する前記位置適応コンテンツの参照先との組で構成されるコンテンツであるメニューコンテンツを受信し、前記メニューコンテンツを中継配信する放送処理ステップと、位置情報を含む位置情報通知メッセージ、および、コンテンツの中継配信の指示を含むコンテンツ配信要求メッセージを受信し、メッセージの内容に従って、メッセージ送信元へのコンテンツ配信処理を行なう制御ステップとを具備し、前記通信処理ステップは、前記位置適応コンテンツから最新の前記位置情報と合致する前記位置条件が付与されている前記位置条件別リストを抽出し、抽出した前記位置条件別リストから構成されるコンテンツを生成する位置適応処理を行なうことを特徴とするコンテンツ処理方法。
【請求項１９】  請求項１８記載のコンテンツ処理方法に従って、前記コンテンツ放送サーバ、および、前記コンテンツ通信サーバから受信したコンテンツを表示するコンテンツ表示方法において、前記放送コンテンツ配信要求メッセージを送信し、その応答として、中継配信された前記メニューコンテンツを受信し、蓄積する放送受信ステップと、蓄積した前記メニューコンテンツを表示するステップと、表示された前記メニューコンテンツから選択されたコンテンツに関する前記コンテンツ配信要求メッセージを送信し、その応答として中継配信されたコンテンツを表示する表示ステップと、を具備したことを特徴とするコンテンツ表示方法。
【手続補正２】
【補正対象書類名】明細書
【補正対象項目名】００１３
【補正方法】変更
【補正の内容】
【００１３】
【発明の実施の形態】
本発明の第１の態様にかかるコンテンツ処理装置は、コンテンツ通信サーバから、地理的位置情報と関連付けられたコンテンツである位置依存コンテンツと、前記位置依存コンテンツの参照先を地理的エリア毎に分類した位置条件別リストに前記地理的エリアの位置条件を付与した構造を持つ位置適応コンテンツと、一般コンテンツとを受信し、受信したコンテンツ、もしくは、受信したコンテンツから生成したコンテンツを中継配信する通信処理部と、データ放送を行うコンテンツ放送サーバから、前記位置依存コンテンツのカテゴリと前記カテゴリに対応する前記位置適応コンテンツの参照先との組で構成されるコンテンツであるメニューコンテンツを受信し、前記メニューコンテンツを中継配信する放送処理部と、位置情報を含む位置情報通知メッセージ、および、コンテンツの中継配信の指示を含むコンテンツ配信要求メッセージを受信し、メッセージの内容に従って前記通信処理部および前記放送処理部を制御し、メッセージ送信元へのコンテンツ配信処理を行なう中継制御部とを具備し、前記通信処理部は、前記位置適応コンテンツから最新の前記位置情報と合致する前記位置条件が付与されている前記位置条件別リストを抽出し、抽出した前記位置条件別リストから構成されるコンテンツを生成する位置適応処理を行なう。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明の第２の態様は、第１の態様にかかるコンテンツ処理装置において、前記通信コンテンツ前記コンテンツ配信要求メッセージは、前記メニューコンテンツの中継配信を要求する放送受信要求メッセージと、前記一般コンテンツの中継配信を要求する一般コンテンツ配信要求メッセージと、前記位置適応コンテンツの中継配信を要求する位置適応コンテンツ配信要求メッセージがあり、前記放送処理部および前記通信処理部が受信したコンテンツを蓄積する中間キャッシュ部をさらに有し、前記中継制御部は、前記位置適応コンテンツ配信要求メッセージを受信した後に、前記位置情報通知メッセージを受信した場合には、前記通信処理部に対して、前記中間キャッシュ部に蓄積済みの前記位置適応コンテンツに前記位置適応処理の実行と、その処理によって生成されたコンテンツの中継配信とを命令する。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明の第３の態様は、第２の態様にかかるコンテンツ処理装置において、前記通信処理部は、中継配信対象のコンテンツが前記中間キャッシュ部に蓄積済みの場合は、前記コンテンツ配信要求メッセージの送信元へ蓄積済みのコンテンツを中継配信し、中継配信対象のコンテンツが前記中間キャッシュ部に蓄積されていない場合は、前記コンテンツ通信サーバから中継配信対象のコンテンツを受信し、前記配信要求メッセージの送信元へ中継配信する。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
本発明の第４の態様は、第３の態様にかかるコンテンツ処理装置において、前記通信処理部は、複数の前記一般コンテンツ配信要求メッセージは並列処理し、前記位置適応コンテンツ配信要求メッセージは、受信順序に従って直列処理する。
【手続補正１１】
【補正対象書類名】明細書
【補正対象項目名】００２３
【補正方法】変更
【補正の内容】
【００２３】
本発明の第５の態様は、第１から第４の態様のいずれかにかかるコンテンツ処理装置において、前記放送処理部は、受信した前記放送コンテンツを前記中間キャッシュ部に蓄積し、蓄積が完了したら、データ放送の受信を停止し、通信を利用したＰＵＳＨ型ストリーム配信によって、蓄積した前記放送コンテンツを前記放送受信要求メッセージの送信元へ中継配信する。
【手続補正１２】
【補正対象書類名】明細書
【補正対象項目名】００２５
【補正方法】変更
【補正の内容】
【００２５】
本発明の第６の態様は、第５の態様にかかるコンテンツ処理装置において、前記放送処理部は、通信を利用したＰＵＳＨ型ストリーム配信により前記放送コンテンツの配信を所定回数だけ繰り返した後、配信を停止する。
【手続補正１３】
【補正対象書類名】明細書
【補正対象項目名】００２７
【補正方法】変更
【補正の内容】
【００２７】
本発明の第７の態様は、第１から第４の態様のいずれかにかかるコンテンツ処理装置において、前記放送処理部は、受信した前記放送コンテンツを前記中間キャッシュ部に蓄積し、蓄積が完了したら、データ放送の受信を停止し、前記放送受信要求メッセージの送信元へ、蓄積した前記放送コンテンツの所在を示すコンテンツ識別子を含むリソース通知メッセージを送信する。
【手続補正１４】
【補正対象書類名】明細書
【補正対象項目名】００２９
【補正方法】変更
【補正の内容】
【００２９】
本発明の第８の態様は、第７の態様にかかるコンテンツ処理装置において、前記コンテンツ識別子とは、蓄積した前記放送コンテンツを示すＵＲＬである。
【手続補正１５】
【補正対象書類名】明細書
【補正対象項目名】００３１
【補正方法】変更
【補正の内容】
【００３１】
本発明の第９の態様は、第８の態様にかかるコンテンツ処理装置において、前記一般コンテンツ配信要求メッセージと前記位置適応コンテンツ配信要求メッセージは、ファイル名の拡張子が異なるＨＴＴＰのＧＥＴメッセージであり、前記中継制御部は、前記ファイル名の拡張子によって、前記一般コンテンツ配信要求メッセージと前記位置適応コンテンツ配信要求メッセージとを区別する。
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】変更
【補正の内容】
【００３３】
本発明の第１０の態様にかかるコンテンツ表示装置は、第６の態様にかかるコンテンツ処理装置を介して、前記コンテンツ放送サーバ、および、前記コンテンツ通信サーバから受信したコンテンツを表示するコンテンツ表示装置において、前記コンテンツ処理装置から中継配信された前記放送コンテンツを受信する放送受信部と、前記放送受信部が受信した前記放送コンテンツを蓄積する終端キャッシュ部と、前記コンテンツ配信要求メッセージを前記コンテンツ処理装置へ送信する機能と、前記コンテンツ処理装置から中継配信されたコンテンツ、および、前記終端キャッシュ部に蓄積済みのコンテンツを表示する機能とを有するブラウザ部と、前記コンテンツ処理装置へ前記コンテンツ配信要求メッセージを通知し、前記放送受信部および前記ブラウザ部を制御する制御部とを具備した構成を採る。
【手続補正１８】
【補正対象書類名】明細書
【補正対象項目名】００３５
【補正方法】変更
【補正の内容】
【００３５】
本発明の第１１の態様は、第１０の態様にかかるコンテンツ表示装置において、定期的に位置情報を取得する位置情報取得部を有し、前記制御部は、定期的に前記位置情報を含む前記位置情報通知メッセージを前記コンテンツ処理装置へ送信し、前記ブラウザ部は、前記位置適応コンテンツ配信要求メッセージを前記コンテンツ処理装置へ送信した場合に、その応答として、前記位置適応処理によって生成されたコンテンツを前記コンテンツ処理装置から受信し、そのコンテンツを表示する。
【手続補正１９】
【補正対象書類名】明細書
【補正対象項目名】００３７
【補正方法】変更
【補正の内容】
【００３７】
本発明の第１２の態様は、第１１の態様にかかるコンテンツ表示装置において、前記放送受信部は、データ放送受信機能に加えて、通信を利用したＰＵＳＨ型のストリーム配信によって送信されてくるコンテンツを受信する機能を有し、前記制御部は、前記コンテンツ処理装置へ前記放送コンテンツ配信要求メッセージを送信した場合に、前記放送受信部に対して、通信による放送コンテンツの受信を指示する。
【手続補正２０】
【補正対象書類名】明細書
【補正対象項目名】００３９
【補正方法】変更
【補正の内容】
【００３９】
本発明の第１３の態様は、第１２の態様にかかるコンテンツ表示装置において、前記放送受信部は、通信を利用したＰＵＳＨ型のストリーム配信によって、同一コンテンツが繰り返し送信されてくる場合、一度だけコンテンツを受信する。
【手続補正２１】
【補正対象書類名】明細書
【補正対象項目名】００４１
【補正方法】変更
【補正の内容】
【００４１】
本発明の第１４の態様にかかるコンテンツ表示装置は、第９の態様にかかるコンテンツ処理装置を介して、前記コンテンツ放送サーバ、および、前記コンテンツ通信サーバから受信したコンテンツを表示するコンテンツ表示装置において、前記コンテンツ処理装置から中継配信された前記放送コンテンツを受信する放送受信部と、前記放送受信部が受信した前記放送コンテンツを蓄積する終端キャッシュ部と、前記コンテンツ配信要求メッセージを前記コンテンツ処理装置へ送信する機能と、前記コンテンツ処理装置から中継配信されたコンテンツおよび前記終端キャッシュ部に蓄積済みのコンテンツを表示する機能とを有するブラウザ部と、前記コンテンツ処理装置へ前記コンテンツ配信要求メッセージを通知し、前記放送受信部および前記ブラウザ部を制御する制御部とを具備し、前記制御部は、前記コンテンツ処理装置に送信した前記放送コンテンツ配信要求メッセージに対する応答として、前記リソース通知メッセージを受信した場合、前記ブラウザ部に対して、前記コンテンツ識別子が示す前記放送コンテンツの取得を指示する。
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】変更
【補正の内容】
【００４３】
本発明の第１５の態様は、第１４の態様にかかるコンテンツ表示装置において、前記リソース通知メッセージには、前記コンテンツ処理装置に蓄積された前記放送コンテンツのＵＲＬが記されており、前記制御部は、前記リソース通知メッセージを受信した場合に、前記ブラウザ部に対して、前記ＵＲＬが示す前記放送コンテンツの取得を指示し、前記ブラウザ部は、ＨＴＴＰのＧＥＴメッセージによって前記ＵＲＬが示す前記放送コンテンツを取得する。
【手続補正２４】
【補正対象書類名】明細書
【補正対象項目名】００４５
【補正方法】変更
【補正の内容】
【００４５】
本発明の第１６の態様は、第９の態様に記載のコンテンツ処理装置と、第１５の態様に記載のコンテンツ表示装置と、を具備したことを特徴とするコンテンツ受信端末である。
【手続補正２５】
【補正対象書類名】明細書
【補正対象項目名】００４６
【補正方法】変更
【補正の内容】
【００４６】
本発明の第１７の態様は、カルーセル方式のデータ放送によって放送コンテンツを配信するコンテンツ放送サーバと、通信によって一般コンテンツを配信するコンテンツ通信サーバと、第９の態様に記載のコンテンツ処理装置と、第１５の態様に記載のコンテンツ表示装置と、を具備するコンテンツ適応配信システムである。
【手続補正２６】
【補正対象書類名】明細書
【補正対象項目名】００４７
【補正方法】変更
【補正の内容】
【００４７】
本発明の第１８の態様は、コンテンツ通信サーバから、地理的位置情報と関連付けられたコンテンツである位置依存コンテンツと、前記位置依存コンテンツの参照先を地理的エリア毎に分類した位置条件別リストに前記地理的エリアの位置条件を付与した構造を持つ位置適応コンテンツと、一般コンテンツとを受信し、受信したコンテンツ、もしくは、受信したコンテンツから生成したコンテンツを中継配信する通信処理ステップと、データ放送を行うコンテンツ放送サーバから、前記位置依存コンテンツのカテゴリと前記カテゴリに対応する前記位置適応コンテンツの参照先との組で構成されるコンテンツであるメニューコンテンツを受信し、前記メニューコンテンツを中継配信する放送処理ステップと、位置情報を含む位置情報通知メッセージ、および、コンテンツの中継配信の指示を含むコンテンツ配信要求メッセージを受信し、メッセージの内容に従って、メッセージ送信元へのコンテンツ配信処理を行なう制御ステップとを具備し、前記通信処理ステップは、前記位置適応コンテンツから最新の前記位置情報と合致する前記位置条件が付与されている前記位置条件別リストを抽出し、抽出した前記位置条件別リストから構成されるコンテンツを生成する位置適応処理を行なうことを特徴とするコンテンツ処理方法である。
【手続補正２７】
【補正対象書類名】明細書
【補正対象項目名】００４８
【補正方法】変更
【補正の内容】
【００４８】
本発明の第１９の態様は、第１８の態様にかかるコンテンツ処理方法に従って、前記コンテンツ放送サーバ、および、前記コンテンツ通信サーバから受信したコンテンツを表示するコンテンツ表示方法において、前記放送コンテンツ配信要求メッセージを送信し、その応答として、中継配信された前記メニューコンテンツを受信し、蓄積する放送受信ステップと、蓄積した前記メニューコンテンツを表示するステップと、表示された前記メニューコンテンツから選択されたコンテンツに関する前記コンテンツ配信要求メッセージを送信し、その応答として中継配信されたコンテンツを表示する表示ステップと、を具備したことを特徴とするコンテンツ表示方法である。
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】